(57)【要約】【課題】デジタル放送受信装置において、外部機器に対応するソフトウェア更新用データをデジタル放送から受信し、任意の時間に外部機器のソフトウェアを更新する。【解決手段】ＴＶ受像機は、デジタルチューナと、各種指示を与える操作部と、装置各部の制御を行うための制御部とを備え、ＤＶＤプレーヤと接続されている。まず、制御部は、デジタル放送信号のからＤＶＤプレーヤに対応するソフトウェア更新用データをダウンロードし（Ｓ１）、ダウンロードしたデータをＨＤＤに保存させる（Ｓ２）。そして、ユーザによって操作部が操作され、ＤＶＤプレーヤのソフトウェアの更新が指示されると（Ｓ３でＹＥＳ）、制御部が、ソフトウェア更新用データを読出し（Ｓ４）、読出したソフトウェア更新用データを送信すると共に（Ｓ５）、ソフトウェアの更新処理の指示を送信する（Ｓ６）。そして、ＤＶＤプレーヤがソフトウェアを更新させる（Ｓ７）。【選択図】図４
2009271736.tif 000002
【特許請求の範囲】
【請求項１】
テレビジョン（以下、ＴＶという）番組やソフトウェア更新用データを含むデジタル放送信号を受信するデジタルチューナと、
前記デジタル放送信号に含まれる前記ソフトウェア更新用データを取得する更新用データ取得手段と、
前記ＴＶ番組を記録可能な記録媒体と、
前記記録媒体にデータを記録する記録手段と、
外部装置に接続され、該外部機器とデータ及び信号の送受信を行う接続手段と、
ユーザによって操作され、操作に応じて所定の信号を出力する操作手段とを備えたデジタル放送受信装置において、
前記デジタル放送信号に、前記外部装置に記録されているソフトウェアを更新するためのソフトウェア更新用データが含まれているときは、
前記更新用データ取得手段が、前記デジタルチューナを用いて受信した前記デジタル放送信号の中から、前記外部機器に対応する前記ソフトウェア更新用データを取得して、前記記録手段が、取得した該ソフトウェア更新用データを前記記録媒体に記録し、
ユーザによって前記操作手段が操作され、前記外部装置のソフトウェアの更新が指示されたときに、前記接続手段が、前記記録媒体に記録されている前記ソフトウェア更新用データを前記外部装置に送信すると共に、該外部装置にソフトウェアの更新処理を指示することを特徴とするデジタル放送受信装置。
【請求項２】
任意の時刻を設定することができるタイマ手段をさらに備え、
前記更新用データ取得手段は、前記タイマ手段に設定された時刻になったときに、前記デジタルチューナを用いて受信した前記デジタル放送信号の中から、前記外部機器に対応する前記ソフトウェア更新用データを取得し、取得した該ソフトウェア更新用データを前記記録媒体に記録することを特徴とする請求項１に記載のデジタル放送受信装置。
【発明の詳細な説明】
【技術分野】
【０００１】
本発明は、デジタル放送受信装置に関し、特にデジタルチューナを有しない外部機器に対応するソフトウェア更新用データを、デジタルチューナを用いて受信するデジタル放送受信装置に関する。
【背景技術】
【０００２】
近年、デジタルチューナを搭載したテレビジョン（ＴＶ）受像機において、自機の機能等を実行するためのソフトウェアの不具合の改善や機能の向上のために、デジタルチューナを用いて、放送局が送信する電波を利用して配信されたソフトウェア更新用データをダウンロードし、ＴＶ受像機本体のソフトウェアを更新する方法が知られている。
【０００３】
しかし、上記の更新方法は、デジタルチューナを搭載していない電子機器に適用することができない。そのため、ユーザは、この種の電子機器のソフトウェアを更新するために、この種の電子機器をメーカのサービスセンタ等に送付しなければならず、手間が掛かるという問題がある。
【０００４】
また、デジタルチューナを搭載していない電子機器であっても、インターネットに接続できる場合、インターネットを利用して自機のソフトウェアの更新を行う方法が知られている。しかし、インターネットの接続環境が無いユーザの場合、インターネットを利用してソフトウェアの更新を行うことができないので、上記問題を解決できない。
【０００５】
これに対して、特許文献１には、外部機器と接続され、この外部機器に対応するソフトウェアを放送電波から受信し、受信したソフトウェア更新用データを外部機器に送信することができるＴＶ受像機が開示されている。しかし、このＴＶ受像機では、デジタル放送からソフトウェア更新用データを受信する開示はない。また、この方法では、ソフトウェア更新用データが放送される特定の時間に外部機器のソフトウェアの更新を行わなければならないため、外部機器の電源がオフにされている場合、ソフトウェアの更新が行われない。そのため、外部機器のソフトウェアを更新することができる時間が制限されるので、ユーザにとって使い勝手が悪いという問題がある。
【特許文献１】特開２００３−３４８４７１号公報
【発明の開示】
【発明が解決しようとする課題】
【０００６】
本発明は、上述した問題点を解決するためになされたものであり、外部機器に対応するソフトウェア更新用データをデジタル放送から受信し、任意の時間に外部機器のソフトウェアを更新可能であるデジタル放送受信装置を提供することを目的とする。
【課題を解決するための手段】
【０００７】
上記目的を達成するために請求項１の発明は、テレビジョン（以下、ＴＶという）番組やソフトウェア更新用データを含むデジタル放送信号を受信するデジタルチューナと、前記デジタル放送信号に含まれる前記ソフトウェア更新用データを取得する更新用データ取得手段と、前記ＴＶ番組を記録可能な記録媒体と、前記記録媒体にデータを記録する記録手段と、外部装置に接続され、該外部機器とデータ及び信号の送受信を行う接続手段と、ユーザによって操作され、操作に応じて所定の信号を出力する操作手段とを備えたデジタル放送受信装置において、前記デジタル放送信号に、前記外部装置に記録されているソフトウェアを更新するためのソフトウェア更新用データが含まれているときは、前記更新用データ取得手段が、前記デジタルチューナを用いて受信した前記デジタル放送信号の中から、前記外部機器に対応する前記ソフトウェア更新用データを取得して、前記記録手段が、取得した該ソフトウェア更新用データを前記記録媒体に記録し、ユーザによって前記操作手段が操作され、前記外部装置のソフトウェアの更新が指示されたときに、前記接続手段が、前記記録媒体に記録されている前記ソフトウェア更新用データを前記外部装置に送信すると共に、該外部装置にソフトウェアの更新処理を指示するものである。
【０００８】
請求項２に記載の発明は、請求項１に記載のデジタル放送受信装置において、任意の時刻を設定することができるタイマ手段をさらに備え、前記更新用データ取得手段は、前記タイマ手段に設定された時刻になったときに、前記デジタルチューナを用いて受信した前記デジタル放送信号の中から、前記外部機器に対応する前記ソフトウェア更新用データを取得し、取得した該ソフトウェア更新用データを前記記録媒体に記録するものである。
【発明の効果】
【０００９】
請求項１の発明によれば、ユーザによって操作手段が操作され、外部装置のソフトウェアの更新が指示されたときに、接続手段が、ソフトウェア更新用データを前記外部装置に送信すると共に、外部装置にソフトウェアの更新処理を指示する。そのため、従来のように、外部機器に対応するソフトウェア更新用データが放送される特定の時間に、外部機器のソフトウェアの更新を行う必要がないので、ユーザは任意の時間に外部機器のソフトウェアの更新を行わせることができるため、ユーザにとって使い勝手が良くなる。
【００１０】
請求項２の発明によれば、設定された時刻になったときに、外部機器に対応するソフトウェア更新用データを取得し、取得したソフトウェア更新用データを記録媒体に記録する。そのため、ユーザはソフトウェア更新用データが配信される特定の時間に、デジタル放送受信装置の操作等を行うことになしに、自動的に外部機器に対応するソフトウェア更新用データが記録媒体に記録されるので、ユーザにとって使い勝手がさらに良くなる。
【発明を実施するための最良の形態】
【００１１】
以下、本発明の一実施形態に係るテレビジョン（以下、ＴＶ）受像機（デジタル放送受信装置）について、図１乃至図３を参照して説明する。図１は、ＴＶ受像機２と、ＤＶＤプレーヤ（外部機器）３とを含むＴＶシステム１の概略構成を示し、図２は、ＴＶ受像機２の内部構成を示すブロック図であり、図３は、ＤＶＤプレーヤ３の内部構成を示すブロック図である。ＴＶ受像機２とＤＶＤプレーヤ３とはＬＡＮケーブル等の伝送ケーブル４を介して接続されている。
【００１２】
ＴＶ受像機２は、図２に示すように、ＴＶ番組やソフトウェア更新用データを含むデジタル放送信号を受信するデジタルチューナ（更新用データ取得手段の一部）２１と、デジタルチューナ２１によって受信されたデジタル放送信号に含まれる映像信号に基づいた映像を表示するディスプレイ（表示手段）２２と、デジタルチューナ２１によって受信されたデジタル放送信号に含まれる音声信号に基づいた音声を出力するスピーカ２３と、ＴＶ受像機２の筐体外部に露出するように設けられたＬＡＮ端子等から構成される端子部２４と、ユーザによって操作され、操作に応じて所定の信号を出力することによりＴＶ受像機２の各部への指示や伝送ケーブル４を介して接続されたＤＶＤプレーヤ３に指示を与える操作部（操作手段）２５とを備える。
【００１３】
また、ＴＶ受像機２は、任意の時刻に、任意の動作を行わせるように設定することができるタイマ部（タイマ手段）２６と、デジタルチューナ２１によって受信されたＴＶ番組やソフトウェア更新用データを記録可能なＨＤＤ（記録媒体、記録手段）２８と、ＴＶ受像機２の装置各部の制御を行うための制御部２０と、制御部２０を動作させるためのソフトウェア２７ａや外部機器情報２７ｂ等を記憶するためのメモリ２７とをさらに備える。
【００１４】
外部機器情報２７ｂには、ＴＶ受像機３に接続されている外部機器の情報、例えば、外部機器の機種名やメーカ名等の情報、及び外部機器の動作を制御するソフトウェアのバージョン情報が記憶されている。本実施例では、外部機器情報２７ｂとして、ＤＶＤプレーヤ３の機種名やソフトウェア３４ａ（図３参照）等の情報が記憶されている。なお、外部機器情報２７ｂは、ＨＤＤ２８に記録されるものであってもよい。
【００１５】
ソフトウェア更新用データは、放送ダウンロードを行うためのデータであり、ＴＶ受像機２やＤＶＤプレーヤ３などの装置本体の機能等を実行させるソフトウェアの不具合の修正や機能を向上させるものある。ＴＶ受像機３のソフトウェア２７ａを更新する場合、制御部２０は、特定の放送局から配信されるデジタル放送信号に含まれるソフトウェア更新データの中から、ＴＶ受像機３の機種名やメーカ等の情報、及びソフトウェア２７ａのバージョン情報に基づいてソフトウェア更新用データを取得する。なお、制御部２０は、メモリ２７の外部機器情報２７ｂに基づいて、ＴＶ受像機３に接続された外部機器に対応するソフトウェア更新用データを取得することができる。詳細については後述する。
【００１６】
ＤＶＤプレーヤ３は、図３に示すように、ＤＶＤプレーヤ３の各部に指示を与えるための操作部３１と、筐体外部に露出するように設けられたＬＡＮ端子等から構成される端子部３２と、ＤＶＤディスクを内部に着脱可能であり、内部装着されたＤＶＤディスク５からデータの読出しやデータの書込みを行う光ディスクドライブ３３と、ＤＶＤプレーヤ３の各部を制御するための制御部３０と、制御部３０を動作させるためのソフトウェア等が記憶されたメモリ３４とを備える。
【００１７】
次に、ＴＶ受像機２によるＤＶＤプレーヤ３のソフトウェア３４ａの更新処理について、図４に示すフローチャートを参照して説明する。ここでは、予め、ＴＶ受像機３のデジタルチューナ２１によってソフトウェア更新用データが放送されるダウンロード放送のスケジュール情報が既に受信されており、以下の処理は、ソフトウェア更新用データが放送される時刻に行われるものとする。
【００１８】
まず、制御部２０は、デジタルチューナ２１によって受信されたデジタル放送信号のから、メモリ２７に記憶された外部機器情報２７ｂに基づいてＤＶＤプレーヤ３に対応するソフトウェア更新用データをダウンロードし（Ｓ１）、ダウンロードしたソフトウェア更新用データをＨＤＤ２８に保存させる（Ｓ２）。
【００１９】
そして、ユーザによって操作部２５が操作され、ＤＶＤプレーヤ３のソフトウェア３４ａの更新が指示されると（Ｓ３でＹＥＳ）、制御部２０が、ＨＤＤ２８に記録されているソフトウェア更新用データを読出し（Ｓ４）、読出したソフトウェア更新用データを伝送ケーブル４を介してＤＶＤプレーヤ３に送信すると共に（Ｓ５）、ソフトウェア３４ａの更新処理の指示を伝送ケーブルを介してＤＶＤプレーヤ３に送信する（Ｓ６）。そして、ＤＶＤプレーヤ３が、このソフトウェア更新用データに基づいてソフトウェア３４ａを更新させる（Ｓ７）。
【００２０】
次に、ＴＶ受像機２によるＤＶＤプレーヤ３のソフトウェア３４ａの更新処理の変形例について、図５に示すフローチャートを参照して説明する。ここでは、上記図４と同様に、予め、デジタルチューナ２１によってソフトウェア更新用データが放送されるスケジュール情報が既に受信されているものとする。また、予め、ユーザによってスケジュール情報に基づいて、ソフトウェア更新用データの受信予約がタイマ部２６に設定されているものとする。
【００２１】
まず、制御部２０は、タイマ部２６に設定された予約時刻になったか否かを判断し（Ｓ１１）、予約時間であるとき（Ｓ１２でＹＥＳ）、デジタルチューナ２１によって受信されたデジタル放送信号のから、メモリ２７に記憶された外部機器情報２７ｂに情報に基づいてＤＶＤプレーヤ３に対応するソフトウェア更新用データをダウンロードする（Ｓ１３）。なお、Ｓ１３以降の処理は、上記図４のＳ１以降の処理と同一であるため説明を省略する。
【００２２】
上述したように、本実施形態に係るＴＶ受像機２によれば、ソフトウェア更新データをＨＤＤ２８に記録した後、ユーザによって操作部２５が操作され、ＤＶＤプレーヤ３のソフトウェアの更新が指示されたときに、制御部２０が、ソフトウェア更新用データをＤＶＤプレーヤ３に送信すると共に、ＤＶＤプレーヤ３にソフトウェア３４ａの更新処理の指示を行う。そのため、従来のように、ＤＶＤプレーヤ３に対応するソフトウェア更新用データが放送される特定の時間に、ＤＶＤプレーヤ３のソフトウェア３４ａの更新を行う必要がないので、ユーザは任意の時間にＤＶＤプレーヤ３のソフトウェア３４ａの更新を行わせることができるため、ユーザにとって使い勝手が良くなる。
【００２３】
また、タイマ部２６に設定された時刻になったときに、制御部２０は、デジタルチューナ２１によって受信されたデジタル放送信号のからＤＶＤプレーヤ３に対応するソフトウェア更新用データを取得し、取得したソフトウェア更新用データをＨＤＤ２８に記録する。そのため、ユーザはソフトウェア更新用データが配信される特定の時間に、ＴＶ受像機２の操作等を行うことになしに、自動的にＤＶＤプレーヤ３に対応するソフトウェア更新用データがＨＤＤ２８に記録されるので、ユーザにとって使い勝手がさらに良くなる。
【００２４】
なお、本発明は、上記実施形態の構成に限られず、発明の趣旨を変更しない範囲で種々の変形が可能である。例えば、上記の実施形態において、デジタル放送受信装置がＴＶ受像機２である例を示したが、デジタル放送信号を受信可能なＨＤＤレコーダであってもよい。
【図面の簡単な説明】
【００２５】
【図１】本発明の一実施形態に係るＴＶ受像機と、ＤＶＤプレーヤを含むＴＶシステムの概略構成図。
【図２】上記ＴＶ受像機の内部構成を示すブロック図。
【図３】上記ＤＶＤプレーヤの内部構成を示すブロック図。
【図４】上記ＴＶ受像機におけるＤＶＤプレーヤのソフトウェア更新処理の手順を示すフローチャート。
【図５】上記ソフトウェア更新処理の変形例の手順を示すフローチャート。
【符号の説明】
【００２６】
２  ＴＶ受像機（デジタル放送受信装置）
３  ＤＶＤプレーヤ（外部機器）
２０  制御部
２１  デジタルチューナ（更新用データ取得部）
２４  端子部（接続手段）
２５  操作部（操作手段）
２６  タイマ部（タイマ手段）
２８  ＨＤＤ（記録媒体、記録手段）
３４ａ  ソフトウェア
【図１】
2009271736.tif 000003
【図２】
2009271736.tif 000004
【図３】
2009271736.tif 000005
【図４】
2009271736.tif 000006
【図５】
2009271736.tif 000007